(57)【要約】      （修正有）【課題】装着した場合に、ピアス孔に傷をつける可能性が低く、生体親和性が高いピアスの係止構造を提供する。【解決手段】耳飾部１０と、耳飾部の一端部に設けられたピアス孔貫通部１１と、上記耳飾部の他端部１８に設けられ、上記ピアス孔貫通部がピアス孔の一側から貫通して配置された場合に、ピアス孔の他側において上記ピアス孔貫通部が係止する係止部１２を備え、該係止部は、上記ピアス孔貫通部の先端部を受ける受け部１６を有し、上記ピアス孔貫通部と上記受け部は合成樹脂により形成されている。【選択図】図１
0003157405.tif 000002
【実用新案登録請求の範囲】
【請求項１】
耳飾部の一端部に設けられたピアス孔貫通部と、上記耳飾部の他端部に設けられ、上記ピアス孔貫通部が使用者の耳に開設されたピアス孔の一側から貫通して配置された場合に、ピアス孔の他側において上記ピアス孔貫通部が係止する係止部を備え、
上記係止部は、上記ピアス孔貫通部の先端部を受ける受け部を有し、上記ピアス孔貫通部と上記受け部は合成樹脂により形成されているピアスの係止構造であって、
上記係止部は、上記耳飾部の他端部に接合されたチェーン部と、上記チェーン部の先端部に設けられた上記受け部とにより構成されることを特徴とする請求項１記載のピアスの係止構造。
【請求項２】
上記耳飾部は、全体略Ｃ字状に形成されると共に上記ピアス孔貫通部は、上記耳飾部の一端部において延設された棒状部からなることを特徴とする請求項  １記載のピアスの係止構造。
【考案の詳細な説明】
【技術分野】
【０００１】
本考案は、ピアスの係止構造に係り、特に、使用者の耳に親和性の高いピアスの係止構造に係る。
【背景技術】
【０００２】
従来、様々な形状のピアスが使用されているが、多くのピアス孔への係止部は金属製であって、使用者の耳のピアス孔に直接に係止するように構成されており、金属部が直接にピアス孔に触れることから装着時等にピアス孔に傷をつける可能性もあり、また、装着中に金属部がピアス孔に擦れてピアス孔に傷がつき、細菌が傷口から入った場合には炎症を起こす可能性もあった。
このような観点から、本件出願人は、耳飾部の一端部に設けられたピアス孔貫通部と、上記耳飾部の他端部に設けられ、上記ピアス孔貫通部が使用者の耳に開設されたピアス孔の一側から貫通して配置された場合に、ピアス孔の他側において上記ピアス孔貫通部が係止する係止部を備え、上記係止部は、上記ピアス孔貫通部の先端部を受ける受け部を有し、上記ピアス孔貫通部と上記受け部は合成樹脂により形成されているであって、上記係止部は、上記耳飾部の他端部において回動可能に接合されたアーム部と、上記アーム部の先端部に設けられた上記受け部固定部と、上記受け部固定部に固定される受け部とにより構成され、上記アーム部は、基端部は軸部を介して上記耳飾部の他端部に接合され、開放位置と、上記ピアス孔貫通部を受けうる閉止位置との間で回動可能に形成されると共に、閉止位置に至った場合には閉止位置を保持するように構成されたピアスの係止構造を提案していた（特許文献１）。
しかしながら、このような従来のピアスの開始構造にあっては、上記アーム部が耳飾部の端部において係合可能に形成され、ピアス孔に貫通されたピアス孔貫通部に対して、アーム部を回動させて、受け部に開設された小さな孔部内に上記ピアス孔開通部を挿通させる必要があったことから、上記孔部内にピアス孔貫通部を挿通させるためには、ピアス孔貫通部と孔部とを位置調整しながら対応させて係合させる必要があり、その結果、ピアスを耳に固定しにくい場合がある、という不具合を有していた。
【考案の開示】
【考案が解決しようとする課題】
【０００３】
そこで、本考案の課題は、装着した場合に、ピアス孔に傷をつける可能性が低く、生体親和性が良好であって、耳にピアス本体を固定しやすいピアスの係止構造を提供することにある。
【課題を解決するための手段】
【０００４】
上記課題を解決するために、請求項１にあっては、耳飾部の一端部に設けられたピアス孔貫通部と、上記耳飾部の他端部に設けられ、上記ピアス孔貫通部が使用者の耳に開設されたピアス孔の一側から貫通して配置された場合に、ピアス孔の他側において上記ピアス孔貫通部が係止する係止部を備え、上記係止部は、上記ピアス孔貫通部の先端部を受ける受け部を有し、上記ピアス孔貫通部と上記受け部は合成樹脂により形成されているピアスの係止構造であって、上記係止部は、上記耳飾部の他端部に接合されたチェーン部と、上記チェーン部の先端部に設けられた上記受け部とにより構成されることを特徴とする。
【０００５】
従って、請求項１記載の考案にあっては、耳のピアス孔の一側から合成樹脂製のピアス孔貫通部が挿通されると共に、上記ピアス孔貫通部はピアス孔の他側において同様に合成樹脂製の受け部に係止することにより耳に装着される。
耳に固定しようとする場合には、係止部がチェーンにより耳飾部に固定されていることから、ピアス孔貫通部に係止部を対応させやすい。
【０００６】
請求項２記載の考案にあっては、上記耳飾部は、全体略Ｃ字状に形成されると共に上記ピアス孔貫通部は、上記耳飾部の一端部において延設された棒状部からなることを特徴とする。
【考案の効果】
【０００７】
請求項１及び２記載の考案にあっては、耳のピアス孔の一側から合成樹脂製のピアス孔貫通部が挿通されると共に、上記ピアス孔貫通部はピアス孔の他側において同様に合成樹脂製の受け部に係止することにより耳に装着されることから、ピアス孔には合成樹脂製のピアス孔貫通部及び受け部のみが接触することとなり、金属部分が接触することがないことから、ピアス孔に傷をつける可能性がなく、また、装着中に金属部がピアス孔に擦れてピアス孔に傷がつき、細菌が傷口から入った場合には炎症を起こす可能性もなく、生体親和性の良好なピアスの係止構造を提供することができる。
さらに、上記ピアス孔貫通部の受け部がチェーンにより耳飾部に接合されていることから、従来のように、受け部をアーム部を回動させることにより、上記ピアス孔貫通部に係止させるようには構成されておらず、受け部がチェーンにより耳飾部に接合されていることから、受け部は操作の自由度があり、容易にピアス孔貫通部に係合させることができる。
【０００８】
また、ピアス孔貫通部は合成樹脂製であり、上記受け部に係止する際に、適宜、容易に撓むことから、装着時の係止作業及び、取り外し時における係止解除作業の容易なピアスの係止構造を提供することができる。
【図面の簡単な説明】
【０００９】
【図１】本考案に係るピアスの係止構造が適用された耳飾の一実施の形態を示す斜視図である。
【図２】本考案に係るピアスの係止構造の一実施の形態を示す一部拡大斜視図である。
【考案を実施するための最良の形態】
【００１０】
以下、添付図面に示す実施の形態に基づき、本考案を詳細に説明する。  
図１に示すように、本実施の形態に係るピアスの係止構造が適用された耳飾３０は、耳飾部１０と、耳飾部１０の一端部１７に設けられたピアス孔貫通部１１と、上記耳飾部１０の他端部１８に設けられ、上記ピアス孔貫通部１１がピアス孔の一側から貫通して配置された場合に、ピアス孔の他側において上記ピアス孔貫通部１１が係止する係止部１２を備えている。
【００１１】
上記耳飾部１０は、全体略Ｃ字状に形成され、上記ピアス孔貫通部１１は、上記耳飾部１０の一端部１７において延設された棒状部からなり、上記係止部１２は、上記耳飾部の他端部１８において固定されたチェーン部１４と、上記チェーン部１４の先端部に設けられた受け部１６とにより構成されている。
そして、本実施の形態にあっては、上記ピアス孔貫通部１１と上記受け部１６は合成樹脂により形成されている。
【００１２】
上記受け部１６は、上記チェーン部１４の端部が接合された基板部１９と、基板部１９の平面上に突設された受け部本体２０とにより構成されている。
【００１３】
上記基板部１９及び上記受け部本体２０には厚さ方向に沿って孔部２１が貫通して開設されており、上記孔部２１に上記ピアス孔貫通部１１を受け入れるように構成されている。
【００１４】
上記ピアス孔貫通部１１は、耳飾部１０よりもやや細径に形成されると共に、上記受け部１６の孔部２１は上記ピアス孔貫通部１１よりも僅かに大径に形成され、容易にピアス貫通部１１を挿通しうるように構成されている。なお、図中、符合２２は、ピアス孔貫通部１１の基端部に設けられた合成樹脂製の固定用フランジ部である。
【００１５】
以下、本実施の形態に係るピアスの係止構造の作用を説明する。
本実施の形態に係るピアスの係止構造により、耳飾３０を耳に装着する場合には、先ず、図２に示すように、上記チェーン１４を介して耳飾部１０をやや拡開しながら、上記ピアス孔貫通部１１を耳（図示せず）の表側に配置し、受け部１６を耳の裏側に配置し、上記ピアス孔貫通部１１を耳のピアス孔（図示せず）に貫通させる。
【００１６】
この状態で、上記ピアス孔の反対側に配置した係止部１２を構成する受け部１６を把持して上記ピアス孔貫通部１１の先端を上記受け部１６に開設された孔部２１に挿通させる。この状態で、図２に示すように、ピアス孔貫通部１１は上記係止部１２に係合し、耳飾部１０は耳に固定される。
【００１７】
従って、この状態では、上記合成樹脂製のピアス孔貫通部１１、フランジ部２２及び受け部１６のみがピアス孔に接触し、金属部分は全くピアス孔に接触していないことから、ピアス孔の内周縁部に傷をつける可能性もなく、また、装着中に金属部がピアス孔に内周縁部と擦れてピアス孔内周縁部に傷がつき、細菌が傷口から入り炎症を起こすという事態も防止でき、生体親和性の良好なピアスの係止構造を提供することができる。
【００１８】
また、本実施の形態に係るピアスの係止構造にあっては、上記ピアス貫通部１１はチェーン１４により接合されていることにより、上記ピアス貫通部１１に対して受け部１６を容易に位置合わせすることができ、容易にピアス貫通部１１を上記受け部１６に係合させることができる。
【００１９】
なお、本実施の形態にあっては、係止部１２は、上記耳飾部１０の他端部において回動可能に接合されたアーム部１４と、上記アーム部１４の先端部に設けられた上記受け部固定部１５と、上記受け部固定部１５に固定される受け部１６とにより構成されている場合を例に説明したが、上記実施の形態に限定されない。
【産業上の利用可能性】
【００２０】
本考案は、広く、ピアスの係止構造に適用することができる。
【符号の説明】
【００２１】
１０  耳飾部
１１  ピアス孔貫通部
１２  係止部
１４  チェーン部  
１６  受け部
１７  一端部
１８  他端部
１９  基板部
２０  受け部本体
２１  孔部
２２  フランジ部
【図１】
0003157405.tif 000003
【図２】
0003157405.tif 000004
【手続補正書】
【提出日】平成21年11月30日(2009.11.30)
【手続補正１】
【補正対象書類名】実用新案登録請求の範囲
【補正対象項目名】請求項１
【補正方法】変更
【補正の内容】
【請求項１】
耳飾部の一端部に設けられたピアス孔貫通部と、上記耳飾部の他端部に設けられ、上記ピアス孔貫通部が使用者の耳に開設されたピアス孔の一側から貫通して配置された場合に、ピアス孔の他側において上記ピアス孔貫通部が係止する係止部を備え、
上記係止部は、上記ピアス孔貫通部の先端部を受ける受け部を有し、上記ピアス孔貫通部と上記受け部は合成樹脂により形成されているピアスの係止構造であって、
上記係止部は、上記耳飾部の他端部に接合されたチェーン部と、上記チェーン部の先端部に設けられた上記受け部とにより構成されることを特徴とするピアスの係止構造。